(57)【特許請求の範囲】
【請求項１】
制御装置、演算装置、及び記憶装置により、電力系統を構成している要素の状態情報をプロセス入力装置を介して収集する状態情報収集処理、この状態情報収集処理で収集した状態情報を基に行うＳＯＥ処理、及びこのＳＯＥ処理によりＳＯＥ処理された状態情報を基に電力系統維持に必要な演算を行う演算処理、をそれらのプログラムを連続的に繰り返し実行することにより監視制御する方法であって、前記各処理の少なくとも一の処理を、前記状態情報の点数に対応して、前記繰り返しの周期の複数周期に分散して行う電力系統の監視制御方法。
【請求項２】
制御装置、演算装置、及び記憶装置により、電力系統を構成している要素の状態情報をプロセス入力装置を介して入手し、この入手した状態情報について、連続的に実行される複数のプログラムを繰り返し実行することにより監視制御する方法であって、前記各プログラム少なくとも一のプログラムを、前記状態情報の点数に対応して、前記繰り返しの周期の複数周期に分散して実行する電力系統の監視制御方法。
【請求項３】
制御装置、演算装置、及び記憶装置により、電力系統を構成している要素の状態情報をプロセス入力装置を介して入手し、この入手した状態情報について、プログラムを繰り返し実行することにより監視制御する方法であって、前記プログラムを、前記状態情報の点数に対応して、前記繰り返しの周期の複数周期に分散して実行する電力系統の監視制御方法。
【請求項４】
制御装置、演算装置、及び記憶装置により、電力系統を構成している要素の状態情報をプロセス入力装置を介して入手し、この入手した状態情報について、ＳＯＥ処理を行うＳＯＥプログラムを繰り返し実行することにより監視制御する方法であって、前記ＳＯＥプログラムを、前記状態情報の点数に対応して、前記繰り返しの周期の複数周期に分散して実行する電力系統の監視制御方法。
【請求項５】
制御装置、演算装置、及び記憶装置により、電力系統を構成している要素の状態情報をプロセス入力装置を介して収集するデータ収集プログラムを繰り返し実行することにより監視制御する方法であって、前記データ収集プログラムを、前記状態情報の点数に対応して、前記繰り返しの周期の複数周期に分散して実行する電力系統の監視制御方法。
【請求項６】
制御装置、演算装置、及び記憶装置により、電力系統を構成している要素の状態情報をプロセス入力装置を介して入手し、この入手した状態情報について、電力系統維持に必要な演算を行う演算プログラムを繰り返し実行することにより監視制御する方法であって、前記演算プログラムを、前記状態情報の点数に対応して、前記繰り返しの周期の複数周期に分散して実行する電力系統の監視制御方法。
【請求項７】
請求項１〜６の何れか一に記載の監視制御方法において、前記分散数を、前記状態情報の点数と演算装置の演算処理能力とによって決める電力系統の監視制御方法。
【請求項８】
請求項７に記載の監視制御方法において、処理対象の状態情報の点数を、毎周期或いは所定周期毎に取り込み、この毎周期或いは所定周期毎に取り込んだ点数と演算装置の演算処理能力とによって前記分散数を決める電力系統の監視制御方法。
【請求項９】
請求項１〜８の何れか一に記載の監視制御方法において、高速処理が要求される機能を、最初の周期に分散されたプログラムにより実行し、他の機能を後の周期に分散されたプログラムにより実行させる電力系統の監視制御方法。
【請求項１０】
請求項１〜８の何れか一に記載の監視制御方法において、高速処理が要求される機能の方を、他の機能より、実行される周期を多くする電力系統の監視制御方法。
【請求項１１】
制御装置、演算装置、記憶装置及びプロセス入力装置を備え、電力系統を構成している要素の状態情報を前記プロセス入力装置を介して収集する状態情報収集処理、この状態情報収集処理で収集した状態情報を基に行うＳＯＥ処理、及びこのＳＯＥ処理によりＳＯＥ処理された状態情報を基に電力系統維持に必要な演算を行う演算処理、の各プログラムを連続的に繰り返し実行させる監視制御装置であって、前記各処理の少なくとも一の処理を、前記状態情報の点数に対応して、前記繰り返しの周期の複数周期に分散して行わせる電力系統の監視制御装置。
【請求項１２】
制御装置、演算装置、記憶装置及びプロセス入力装置を備え、電力系統を構成している要素の状態情報を前記プロセス入力装置を介して入手し、この入手した状態情報について、連続的に実行される複数のプログラムを繰り返し実行させる監視制御装置であって、前記各プログラムの少なくとも一のプログラムを、前記状態情報の点数に対応して、前記繰り返しの周期の複数周期に分散して実行させる電力系統の監視制御装置。
【請求項１３】
制御装置、演算装置、記憶装置及びプロセス入力装置を備え、電力系統を構成している要素の状態情報を前記プロセス入力装置を介して入手し、この入手した状態情報について、プログラムを繰り返し実行させる監視制御装置であって、前記プログラムを、前記状態情報の点数に対応して、前記繰り返しの周期の複数周期に分散して実行させる電力系統の監視制御装置。
【請求項１４】
制御装置、演算装置、記憶装置及びプロセス入力装置を備え、電力系統を構成している要素の状態情報を前記プロセス入力装置を介して入手し、この入手した状態情報について、ＳＯＥ処理を行うＳＯＥプログラムを繰り返し実行させる監視制御装置であって、前記ＳＯＥプログラムを、前記状態情報の点数に対応して、前記繰り返しの周期の複数周期に分散して実行させる電力系統の監視制御装置。
【請求項１５】
制御装置、演算装置、記憶装置及びプロセス入力装置を備え、電力系統を構成している要素の状態情報を前記プロセス入力装置を介して収集するデータ収集プログラムを繰り返し実行させる監視制御装置であって、前記データ収集プログラムを、前記状態情報の点数に対応して、前記繰り返しの周期の複数周期に分散して実行させる電力系統の監視制御装置。
【請求項１６】
制御装置、演算装置、記憶装置及びプロセス入力装置を備え、電力系統を構成している要素の状態情報を前記プロセス入力装置を介して入手し、この入手した状態情報について、電力系統維持に必要な演算を行う演算プログラムを繰り返し実行させる監視制御装置であって、前記演算プログラムを、前記状態情報の点数に対応して、前記繰り返しの周期の複数周期に分散して実行させる監視制御装置。
【請求項１７】
請求項１１〜１６の何れか一に記載の監視制御装置において、前記制御装置が、前記分散数を、状態情報の点数と演算装置の演算処理能力とによって決める電力系統の監視制御装置。
【請求項１８】
請求項１７に記載の監視制御装置において、前記制御装置が、処理対象の状態情報の点数を、毎周期或いは所定周期毎に取り込み、この毎周期或いは所定周期毎に取り込んだ点数と演算装置の演算処理能力とによって決める電力系統の監視制御装置。
【請求項１９】
請求項１１〜１８の何れか一に記載の監視制御装置において、前記制御装置が、高速処理が要求される機能を、最初の周期に分散されたプログラムにより実行させ、他の機能を後の周期に分散されたプログラムにより実行させる電力系統の監視制御装置。
【請求項２０】
請求項１１〜１８の何れか一に記載の監視制御装置において、前記制御装置が、高速処理が要求される機能を実行させる周期数の方が、他の機能を実行させる周期数を多くする電力系統の監視制御装置。
【発明の詳細な説明】
【０００１】
【発明の属する技術分野】
この発明は、変電所等において使用される電力系統の監視制御方法及び装置に関するものである。
【０００２】
【従来の技術】
従来技術の構成の説明
図２６〜図２９は例えば、特公昭５２−３７１７４号公報に示された従来技術を示す図であり、図２６は監視対象である電力系統を示す接続図、図２７は電力系統の状態変化監視記録装置を示すブロック図、図２８は監視機能の実行手順を示すフロ−図、図２９は監視機能実行手順の詳細と監視機能実行時間との関係を示す説明図である。
【０００３】
図２６において、Ｂは母線、Ｌは送電線或いは配電線、ＣＢは遮断器、ＰＴは計器用変圧器、ＣＴは変流器、Ｒｙは継電装置で、地絡表示線リレ−、短絡表示線リレ−、地絡方向距離リレ−、後備保護用距離リレ−、地絡過電圧リレ−、低電圧検出リレ−、等各種リレ−で構成されている。
【０００４】
図２７において、Ｓ１，Ｓ２，・・・Ｓｎは監視対象となる接点で、前記継電装置Ｒｙの接点、遮断器ＣＢの補助接点等である。１はプロセス入力装置で、前記監視対象接点Ｓ１，Ｓ２，・・・Ｓｎに１対１で対応するフォトカプラＤＩ等で構成されている。２は論理判断部で、中央演算処理ＣＰＵ等で構成されている。３は制御専用メモリで、監視機能実行プログラムや、前記監視対象物Ｓ１，Ｓ２，・・・Ｓｎの状態情報デ−タ等が格納されている。４はタイプライタ等の記録装置、５は前記監視対象接点Ｓ１，Ｓ２，・・・Ｓｎの状態情報デ−タ等が記録されるデ−タシ−ト、６は時計回路で、前記論理判断部２に時刻情報を供給するものである。
【０００５】
図２８は、監視機能の実行手順を示すフロ−図であるが、具体的には前記論理判断部２（中央演算処理装置ＣＰＵ）で実行する前記接点情報の状態変化検出処理を行うプログラムのフロ−チャ−トである。この図２８において、ＳＴ１はＤＩ状態変化検出処理ステップで、ＤＩ入力状態変化、つまり多数の監視対象接点に対応した各フォトカプラの出力から得た監視対象接点ＯＮ／ＯＦＦ状態情報信号ＩＤＩ１〜ＩＤＩ２の変化、を検出処理するステップであり、このステップＳＴ１を実行するプログラムは図２７の制御専用メモリ３に格納されている。ＳＴ２は時刻付与処理ステップで、状態変化のあった状態情報信号ＩＤＩ１〜ＩＤＩ２に対して状態変化時刻を付与するステップであり、このステップＳＴ２を実行するプログラムも図２７の制御専用メモリ３に格納されている。ＳＴ３は伝送処理ステップで、図２７の記録装置４や遠方監視制御装置（図示せず）など本監視装置外の機器への出力処理を行うステップであり、前記時刻付与された状態変化情報の内容を本監視装置外部へ送出するための伝送処理を行うものである。なお、最近では前述のように多数の監視対象の状態変化を検出し変化情報に変化時時刻を付与して出力処理する概念はＳＯＥ（ＳｅｑｕｅｎｃｅＯｆ Ｅｖｅｎｔｓの略語）と慣用され始めた。従って以後「ＳＯＥ」と略記する。
【０００６】
図２９において、Ｔｄは監視対象対応ＤＩフォトカプラ入力１点分の状態変化検出処理に要するＣＰＵ演算時間、Ｔｄ×ｎはＤＩ入力ｎ点分（状態情報信号ＩＤＩ１〜ＩＤＩｎ分）に対する総処理時間、Ｔｓは同じくＤＩフォトカプラ入力１点分の時刻付与に要するＣＰＵ演算時間、Ｔｓ×ｎｘは状態変化のあったＤＩ入力ｎｘ個の時刻付与に要するＣＰＵ演算時間、Ｔｔは伝送処理に要するＣＰＵ演算処理時間、ＴはＣＰＵ演算時間の総和（Ｔｄ×ｎ+ Ｔｓ×ｎｘ+ Ｔｔ）、つまり図２８におけるＤＩ状態変化検出処理（ＩＤＩ1〜ＩＤＩｎ各々の出力情報状態変化検出処理）、時刻付与処理（ＩＤＩ1 〜ＩＤＩｎ各々の出力情報のうち変化のあった情報への時刻付与）、及び伝送処理のプログラム全体の処理時間で、ＳＯＥ分解能時間でもある。
【０００７】
次に動作について説明する。図２６及び図２７において、継電装置Ｒｙの各リレ−の接点、ＣＢ補助接点Ｓ１〜Ｓｎの状態情報信号プロセス入力装置１が読み込み、その内容は論理判断装置（ＣＰＵ）２に通知される。前回スキャンした時の状態情報を格納している制御専用メモリ３の内容と今回のプロセス入力情報とを比較することにより論理判断装置（ＣＰＵ）２で、状態変化検出を行い（図２８のステップＳＴ１）、時計回路６の時刻を付与し（図２８のステップＳＴ２）、ＳＯＥ処理を実行し、その内容を記録装置４を通じてデ−タシ−トに記録する。
【０００８】
尚、図２７のフロ−図において、本監視装置の電源を入れると、スタ−ト以下のプログラム処理を一定時間の起動周期で、ステップＳＴＩ→ステップＳＴ２→ステップＳＴ３→ステップＳＴＩ→ステップＳＴ２→・・・と無限に繰り返すプログラム構成になっている。
【０００９】
従来の変電所等の電力系統におけるディジタル監視制御装置は以上のように構成されており、従って、要求されるＳＯＥ分解能時間は、ＳＯＥ機能実行プログラムのスタ−トから次のスタ−ト迄に処理するプログラム処理時間Ｔｔ（ＤＩ状態変化検出処理プログラムの処理時間Ｔｄ×ｎと時刻付与処理プログラムの処理時間Ｔｓ×ｎｘと伝送処理プログラムの処理時間Ｔｔとの総和）と等しくなり、一定周期のＣＰＵ起動周期Ｔと等しい。従って、要求されるＳＯＥ分解能時間をＴｓｏｅとすれば、Ｔｓｏｅ＝Ｔ＝Ｔｄ×ｎ+ Ｔｓ×ｎｘ+ Ｔｔの関係式が成り立つ。
【００１０】
ここでＤＩ状態変化検出処理プログラムの処理時間Ｔｄ×ｎについては、監視対象接点の動作状態変化の有無を見るので、監視対象全接点に対応の全情報（ＩＤＩ１〜ＩＤＩｎの全情報）について論理判断装置２のＣＰＵによる処理が必要であるため、ｎは常に監視対象接点状態信号ＩＤＩの総数量（総点数）ｎとなるが、時刻付与処理プログラムの処理時間Ｔｓ×ｎｘについては、状態変化のあるＩＤＩについてのみ処理を行うため、ｎｘの最大値はｎｍａｘとなるが、ｎｘの最小値はゼロにもなるが、最大値ｎｍａｘに対しても処理を保証するように設定してある。従って、論理判断装置２のＣＰＵ起動周期Ｔは、Ｔｄ×ｎ+ Ｔｓ×ｎｘ+ Ｔｔに設定してある。
【００１１】
【発明が解決しようとする課題】
ところで、最近は電力系統の規模拡大、複雑化、ＩＰＰ（Independent PowerProducer）の参入による多様化などを背景に、電力系統の信頼度が益々重要視されてきており、ＳＯＥ機能を電力系統の各設備に適用する必要性が高まってきている。このような状況下では、各変電所にＳＯＥ機能を持たせたり、又、一の変電所内の多数の設備、例えば５５０ＫＶ送電系設備、２７ＫＶ送電系設備、６ＫＶ配電系設備、母連系設備、他、多数あり、これらの設備を対象としてＳＯＥ機能を持たせる場合、当然ながら、変電所によって各設備の規模、数は異なっているので、ＳＯＥ機能による監視対象接点数、つまり監視対象状態情報ＩＤＩの点数も各変電所毎に異なる。従って、前述の従来の監視装置を各変電所に適用した場合、各変電所毎に論理判断装置２のＣＰＵ起動周期を個別に定め、処理プログラムも個別に準備する必要があるという課題が生じる。
【００１２】
又、ＳＯＥ機能による監視対象接点数、つまり監視対象状態情報ＩＤＩの点数は変電所毎に異なる。従って、前述の従来の監視装置を変電所内の各設備に適用した場合、各設備毎に論理判断装置２のＣＰＵ起動周期を個別に定め、処理プログラムも個別に準備する必要があるという課題が生じる。
【００１３】
又、前述の従来の監視装置を変電所に設置した場合、当該変電所の管轄範囲内で、大型住宅、工場等の新設、ＩＰＰ設備の電力系統への付設、変電所内設備の補充（例えば無人変電所における扉の増設、監視カメラの新設、など）等、監視対象範囲の拡大・変更が生じた場合には、適時に適切に論理判断装置２のＣＰＵ起動周期を調整したり、処理プログラムを改変する必要が生じる場合が想定されるが、そのためには、まず拡大・変更の正確な時期、規模を事前に把握する必要があり、現実には至難の業であると考えられ、その結果として、系統の信頼度確保のため本来は監視が必要な新設設備、補充設備についてはＳＯＥ機能での監視対象外となるという課題、更には新設設備、補充設備についてはＳＯＥ機能での監視対象外となっていることに保守要員が知らないという課題が生じる。
【００１４】
この発明は、このような従来の監視装置が抱える課題に鑑みなされたもので、監視対象接点数、つまり監視対象状態情報ＩＤＩの点数が異なる変電所等の電力系統の電気所、設備、等への共通適用、監視対象範囲の拡大・変更が生じた場合への継続適用を可能にすることを目的とするものである。
【００１５】
【課題を解決するための手段】
請求項１に記載の発明に係る電力系統の監視制御方法は、電力系統を構成している要素の状態情報をプロセス入力装置を介して収集する状態情報収集処理、この状態情報収集処理で収集した状態情報を基に行うＳＯＥ処理、及びこのＳＯＥ処理によりＳＯＥ処理された状態情報を基に電力系統維持に必要な演算を行う演算処理、をそれらのプログラムを連続的に繰り返し実行することにより監視制御する方法であって、前記各処理の少なくとも一の処理を、前記状態情報の点数に対応して、前記繰り返しの周期の複数周期に分散して行うものである。
【００１６】
請求項２に記載の発明に係る電力系統の監視制御方法は、電力系統を構成している要素の状態情報をプロセス入力装置を介して入手し、この入手した状態情報について、連続的に実行される複数のプログラムを繰り返し実行することにより監視制御する方法であって、前記各プログラム少なくとも一のプログラムを、前記状態情報の点数に対応して、前記繰り返しの周期の複数周期に分散して実行するものである。
【００１７】
請求項３に記載の発明に係る電力系統の監視制御方法は、電力系統を構成している要素の状態情報をプロセス入力装置を介して入手し、この入手した状態情報について、プログラムを繰り返し実行することにより監視制御する方法であって、前記プログラムを、前記状態情報の点数に対応して、前記繰り返しの周期の複数周期に分散して実行するものである。
【００１８】
請求項４に記載の発明に係る電力系統の監視制御方法は、電力系統を構成している要素の状態情報をプロセス入力装置を介して入手し、この入手した状態情報について、ＳＯＥ処理を行うＳＯＥプログラムを繰り返し実行することにより監視制御する方法であって、前記ＳＯＥプログラムを、前記状態情報の点数に対応して、前記繰り返しの周期の複数周期に分散して実行するものである。
【００１９】
請求項５に記載の発明に係る電力系統の監視制御方法は、電力系統を構成している要素の状態情報をプロセス入力装置を介して収集するデータ収集プログラムを繰り返し実行することにより監視制御する方法であって、前記データ収集プログラムを、前記状態情報の点数に対応して、前記繰り返しの周期の複数周期に分散して実行するものである。
【００２０】
請求項６に記載の発明に係る電力系統の監視制御方法は、電力系統を構成している要素の状態情報をプロセス入力装置を介して入手し、この入手した状態情報について、電力系統維持に必要な演算を行う演算プログラムを繰り返し実行することにより監視制御する方法であって、前記演算プログラムを、前記状態情報の点数に対応して、前記繰り返しの周期の複数周期に分散して実行するものである。
【００２１】
請求項７に記載の発明に係る電力系統の監視制御方法は、請求項１〜６の何れか一に記載の監視制御方法において、前記分散数を、処理対象の状態情報の点数と演算装置の演算処理能力とによって決めるものである。
【００２２】
請求項８に記載の発明に係る電力系統の監視制御方法は、請求項７に記載の監視制御方法において、処理対象の状態情報の点数を、毎周期或いは所定周期毎に取り込み、この毎周期或いは所定周期毎に取り込んだ点数と演算装置の演算処理能力とによって前記分散数を決めるものである。
【００２３】
請求項９に記載の発明に係る電力系統の監視制御方法は、請求項１〜８の何れか一に記載の監視制御方法において、高速処理が要求される機能を、最初の周期に分散されたプログラムにより実行し、他の機能を後の周期に分散されたプログラムにより実行させるものである。
【００２４】
請求項１０に記載の発明に係る電力系統の監視制御方法は、請求項１〜８の何れか一に記載の監視制御方法において、高速処理が要求される機能の方を、他の機能より、実行される周期を多くするものである。
【００２５】
請求項１１に記載の発明に係る電力系統の監視制御装置は、制御装置、演算装置、記憶装置及びプロセス入力装置を備え、電力系統を構成している要素の状態情報を前記プロセス入力装置を介して収集する状態情報収集処理、この状態情報収集処理で収集した状態情報を基に行うＳＯＥ処理、及びこのＳＯＥ処理によりＳＯＥ処理された状態情報を基に電力系統維持に必要な演算を行う演算処理、の各プログラムを連続的に繰り返し実行させる監視制御装置であって、前記各処理の少なくとも一の処理を、前記状態情報の点数に対応して、前記繰り返しの周期の複数周期に分散して行わせるものである。
【００２６】
請求項１２に記載の発明に係る電力系統の監視制御装置は、制御装置、演算装置、記憶装置及びプロセス入力装置を備え、電力系統を構成している要素の状態情報を前記プロセス入力装置を介して入手し、この入手した状態情報について、連続的に実行される複数のプログラムを繰り返し実行させる監視制御装置であって、前記各プログラムの少なくとも一のプログラムを、前記状態情報の点数に対応して、前記繰り返しの周期の複数周期に分散して実行させるものである。
【００２７】
請求項１３に記載の発明に係る電力系統の監視制御装置は、制御装置、演算装置、記憶装置及びプロセス入力装置を備え、電力系統を構成している要素の状態情報を前記プロセス入力装置を介して入手し、この入手した状態情報について、プログラムを繰り返し実行させる監視制御装置であって、前記プログラムを、前記状態情報の点数に対応して、前記繰り返しの周期の複数周期に分散して実行させるものである。
【００２８】
請求項１４に記載の発明に係る電力系統の監視制御装置は、制御装置、演算装置、記憶装置及びプロセス入力装置を備え、電力系統を構成している要素の状態情報を前記プロセス入力装置を介して入手し、この入手した状態情報について、ＳＯＥ処理を行うＳＯＥプログラムを繰り返し実行させる監視制御装置であって、前記ＳＯＥプログラムを、前記状態情報の点数に対応して、前記繰り返しの周期の複数周期に分散して実行させるものである。
【００２９】
請求項１５に記載の発明に係る電力系統の監視制御装置は、制御装置、演算装置、記憶装置及びプロセス入力装置を備え、電力系統を構成している要素の状態情報を前記プロセス入力装置を介して収集するデータ収集プログラムを繰り返し実行させる監視制御装置であって、前記データ収集プログラムを、前記状態情報の点数に対応して、前記繰り返しの周期の複数周期に分散して実行させるものである。
【００３０】
請求項１６に記載の発明に係る電力系統の監視制御装置は、制御装置、演算装置、記憶装置及びプロセス入力装置を備え、電力系統を構成している要素の状態情報を前記プロセス入力装置を介して入手し、この入手した状態情報について、電力系統維持に必要な演算を行う演算プログラムを繰り返し実行させる監視制御装置であって、前記演算プログラムを、前記状態情報の点数に対応して、前記繰り返しの周期の複数周期に分散して実行させるものである。
【００３１】
請求項１７に記載の発明に係る電力系統の監視制御装置は、請求項１１〜１６の何れか一に記載の監視制御装置において、前記制御装置が、前記分散数を、処理対象の前記状態情報の点数と前記演算装置の演算処理能力とによって決めるものである。
【００３２】
請求項１８に記載の発明に係る電力系統の監視制御装置は、請求項１７に記載の監視制御装置において、前記制御装置が、処理対象の状態情報の点数を、毎周期或いは所定周期毎に取り込み、この毎周期或いは所定周期毎に取り込んだ点数と前記演算装置の演算処理能力とによって決めるものである。
【００３３】
請求項１９に記載の発明に係る電力系統の監視制御装置は、請求項１１〜１８の何れか一に記載の監視制御装置において、前記制御装置が、高速処理が要求される機能を、最初の周期に分散されたプログラムにより実行させ、他の機能を後の周期に分散されたプログラムにより実行させるものである。
【００３４】
請求項２０に記載の発明に係る電力系統の監視制御装置は、請求項１１〜１８の何れか一に記載の監視制御装置において、前記制御装置が、高速処理が要求される機能を実行させる周期数の方が、他の機能を実行させる周期数を多くするものである。
【００３５】
【発明の実施の形態】
以下、この発明の実施の形態を数例挙げて説明する。
実施の形態１．
以下、この発明の実施の形態１の一例を図１〜図１０に基づいて説明する。図１は本発明を適用する最近の電力系統の監視制御システムの概念図で、同図において、７Ａは変電所等のＡ電気所で、このＡ電気所内の電気設備（変圧器、遮断器、断路器、ＰＴ、ＣＴ、継電器、電動機、空気調和器、照明機器、ケ−ブル、電線、等）や物理量（電圧、電流、潮流、位相、絶縁耐量、ガス圧、温度、湿度、等）の状態は、その所内監視制御装置７１Ａにより常時監視される。７Ｂは変電所等のＢ電気所で、前記Ａ電気所と同様な機能の所内監視制御装置７１ＢでＡ電気所と同様に常時監視される。７Ｎは変電所等のＮ電気所で、前記電気所７１Ａ、７１Ｂと同様に所内監視制御装置７１Ｎにより常時監視される。７ＧＳは中央給電所、給電所支店、設備開発製造会社の計画／監視／保守の部署で、前記各電気所７Ａ、７Ｂ、・・・７Ｎの電気設備や物理量の状態を、ＲＩＯ（リモ−ト入出力ユニット）を介して、その上位監視制御装置７１ＧＳでも見ることができる。
【００３６】
図２は、図１におけるＡ電気所７Ａ（本図では変電所を例示）の各種設備の接続図で、この図２において、Ａ１は５００ＫＶ送電系設備、Ａ２は母連系設備、Ａ３は降圧系設備、Ａ４は２７ＫＶ送電系設備、ＡＢ２７は電圧が２７ＫＶの母線、ＡＢ５００は電圧が５００ＫＶの母線、Ｔｒは変圧器、ＣＢは遮断器、ＤＳは断路器、ＰＴは計器用変圧器、ＣＴは変流器である。前記各設備Ａ１〜Ａ４には、電力系統を維持するために、図示の前記遮断器ＣＢ、断路器ＤＳ、計器用変圧器ＰＴ、変流器ＣＴ、及び図示してない継電器、電動機、空気調和器、照明機器、ケ−ブル、電線、等、監視対象となる多数の電力系統構成要素が設けられている。
【００３７】
実際の設備内容を全て図示することはできないが、図２に示すように、各設備Ａ１〜Ａ４における監視対象となる多数の電力系統構成要素の点数は可成り異なっているのが通例であり、他の電気所（図１の７Ｂ・・・７Ｎ）についても各設備（前記Ａ１〜Ａ４相当、或いはリアクトル、コンデンサ、無効電力補償用電力変換装置、等の異質の設備もある）にも監視対象となる多数の電力系統構成要素があり、それぞれの点数は区々である。そして、前記各電気所７Ａ〜７Ｎの全て或いは一部について、又、系統構成要素の全て或いは一部について、電力系統構成要素の状態は監視さる。更に、電力系統構成要素の出力から演算される物理量（電圧、電流、潮流、位相、絶縁耐量、ガス圧、温度、湿度、等）についても、各電気所（７Ａ〜７Ｎ）毎に
本発明による監視対象である。
【００３８】
図３は電力系統への監視制御装置の配設図で、同図において、７ＧＳ１は例えば中央給電所や給電所支店等の電力供給側拠点で、設備計画拠点、制御拠点、保守拠点、等が設けられている。７ＧＳ２は電力系統構築用の装置提供側拠点で、装置開発拠点、装置設計拠点、装置政策拠点、等が設けられている。Ｓは区分開閉器、Ｇは発電機である。これら区分開閉器Ｓ及び発電機Ｇも本発明の状態監視対象である。１１〜１４は電気所７Ａ〜７Ｎに設置されたリレ−盤（保護継電装置）で、送電線や母線において事故を検出すると遮断器ＣＢをトリップすると共に、系統状態情報（例えば、母線に設置されている遮断器ＣＢや区分開閉器Ｓや継電器の開閉状態を示す情報、母線電圧、母線電流、零相電流の情報等）を収集して、電子的格納装置（記憶装置）１５〜１８に格納するようにしてある。
【００３９】
１９〜２２はＷｅｂサ−バで、リレ−盤１１〜１４に搭載されている。２３〜２８はパソコン（ＰＣ）等の表示装置付の電子端末で、前記電力供給側拠点７ＧＳ１及び電力系統構築用装置提供側拠点７ＧＳ２に設置されている。２９〜３４はＷｅｂブラウザで、前記電子端末２３〜２８に搭載されている。３５は通信回線で、イントラネット、エクストラネット、インタ−ネット等の有線または無線の通信回線である。
【００４０】
なお、前記電力供給側拠点７ＧＳ１の電子端末２３〜２５及び前記電力系統構築用装置提供側拠点７ＧＳ２の電子端末２６〜２８に搭載のＷｅｂブラウザ２９〜３４は、ル−タ及び通信回線３５を介して前記リレ−盤１１〜１４のＷｅｂサ−バ１９〜２２との接続が確立されるようにして、前記電力供給側拠点７ＧＳ１及び前記電力系統構築用装置提供側拠点７ＧＳ２の何れからも、それら拠点の電子端末２３〜２８から、リレ−盤１１〜１４の電子的格納装置（記憶装置）１５〜１８に保存された系統状態情報を見ることができるようにしてある。
【００４１】
次に図３の動作について説明する。
各電気所７Ａ〜７Ｎのリレ−盤（継電装置）１１〜１４は、何れも、それらの管轄の前記遮断器ＣＢ、断路器ＤＳ、計器用変圧器ＰＴ、変流器ＣＴ、及び図示してない継電器、電動機、空気調和器、照明機器、ケ−ブル、電線、等、監視対象となる多数の電力系統構成要素の接点開閉状態や、例えば母線や送電線の電圧、母線や送電線の電流、零相電流、潮流、位相、絶縁耐量、ガス圧、温度、湿度、等の物理量、等の電力系統における状態情報を収集するプログラム、インタ−フェ−ス、演算装置などが格納されており、前記電力系統における状態情報を、それぞれ対応プログラムの動作により収集し、必要な情報に演算加工し、処理し、収集・演算加工・処理の結果を、それぞれに対応する電子的格納装置（記憶装置）１５〜１８に格納する。
【００４２】
一方、電力供給側拠点７ＧＳ１における保守拠点において、例えば、Ａ電気所７Ａに接続されている送電線が正常な状態にあるか否かを判定する場合、保守要員は保守用の電子端末２５でＷｅｂブラウザ３１を用いて、Ａ電気所７Ａのリレ−盤１１を一意に特定するアドレス情報を通信回線３５に出力することによって、リレ−盤１１のＷｅｂサ−バ１９との接続操作を行い、リレ−盤１１のＷｅｂサ−バ１９が当該アドレス情報を受信すると、Ｗｅｂブラウザ３１とＷｅｂサ−バ１９との接続が確立する。
【００４３】
このようにして、Ｗｅｂブラウザ３１とＷｅｂサ−バ１９との接続が確立すると、Ｗｅｂブラウザ３１とＷｅｂサ−バ１９との間でＨＴＴＰ通信が開始され、保守用の電子端末２５は、Ｗｅｂブラウザ３１を用いて、系統状態情報の送信要求をリレ−盤１１のＷｅｂサ−バ１９に出力する。リレ−盤１１のＷｅｂサ−バ１９は、保守用の電子端末２５から系統状態情報の送信要求を受けると、電子的格納装置（記憶装置）１５に格納されている系統状態情報を通信回線３５を介して保守用の電子端末２５に転送する。
【００４４】
前述のようにして、電力供給側拠点７ＧＳ１保守拠点においても保守用の電子端末２５を使って、Ａ電気所７Ａに接続されている送電線が正常な状態にあるか否かを判定することができる。また、保守用の電子端末２５には、ｊａｂａＶＭが搭載されており、従って、系統状態情報を画面上に表示するプログラム等は、ｊａｂａの実行時に電子的格納装置（記憶装置）１５から通信回線３５を介してダウンロ−ドされ、このようなプログラムを事前に保守用の電子端末２５にインスト−ルしておく必要は無いようにしてある。
【００４５】
なお、例えば、Ａ電気所７Ａのみでなく、Ｂ電気所７Ｂ〜Ｎ電気所７Ｎについても前述と同様にして前述と同様な判定ができるようにしてある。また、電力供給側拠点７ＧＳ１のみでなく、電力系統構築用装置提供側拠点７ＧＳ２においても前述と同様にして前述と同様な判定ができるようにしてある。又、ｊａｂａＶＭを搭載すれば、前記プログラム等は、リレ−盤１１〜１４の電子的格納装置（記憶装置）１５〜１８に格納しておく必要は無く、電力供給側拠点７ＧＳ１や電力系統構築用装置提供側拠点７ＧＳ２の電子端末に格納しても前述と同様にして前述と同様な判定ができる。
【００４６】
更に又、Ｗｅｂブラウザを搭載可能なコンピュ−タであれば、どのような機種のパソコンでもよく、電力供給側拠点７ＧＳ１、電力系統構築用装置提供側拠点７ＧＳ２、Ａ電気所７Ａ〜Ｎ電気所７ＮにおけるモバイルＰＣ（可搬型の表示装置付電子端末）にも必要に応じて前述と同様な機能を持たせ、前述と同様にして前述と同様な判定ができるようにしてある。
【００４７】
次に、電気所における監視制御方法及び装置について図４〜図１０によって具体的に説明する。
ここで図４は電気所７Ａにおける監視制御に使用する各種プログラムの編成図、図５は各種プログラムの繰り返し実行周期とプログラム分散を一例で示す図、図６は各種プログラムの繰り返し実行周期とプログラム分散を他の例で示す図、図７はＳＯＥ機能の一例の一実行フロ−で示すフロ−図、図８はＳＯＥ機能実行プログラムの繰り返し実行周期とプログラム分散の考え方を説明する処理時間算定図、図９は機能を実行するＨ／Ｗをブロック図的に示す図、図１０は監査対象の状態信号を取り出し方の一例を示す接続図である。
【００４８】
図４において、Ｄ１は５００ＫＶ送電系設備の監視制御プログラムの編成とプログラム実行時間を示し、Ｄ２は母連系設備７Ｂの監視制御プログラムの編成とプログラム実行時間を示し、Ｄｎは２７ＫＶ送電系設備の監視制御プログラムの編成とプログラム実行時間を示している。ＰＡはデ−タ収集プログラムで、前記遮断器ＣＢ、断路器ＤＳ、計器用変圧器ＰＴ、変流器ＣＴ、及び図示してない継電器、電動機、空気調和器、照明機器、ケ−ブル、電線、等、監視対象となる多数の電力系統構成要素の接点開閉状態や、例えば母線や送電線の電圧、母線や送電線の電流、零相電流、潮流、位相、絶縁耐量、ガス圧、温度、湿度、等の物理量、等の電力系統における状態情報を収集するプログラムである。
【００４９】
ＰＢはＳＯＥプログラムで、前記状態情報から監視対象の状態変化を検出し変化情報に変化時時刻を付与して出力処理するプログラムである。ここでＳＯＥとは、前述のように、最近慣用され始めてきた語で、多数の監視対象の状態変化を検出し変化情報に変化時時刻を付与して出力処理する概念であり、「ＳｅｑｕｅｎｃｅＯｆ Ｅｖｅｎｔｓ」の略語である。
【００５０】
ＰＣは時刻修正プログラムで、演算装置の起動、前記変化情報への変化時刻の付与に必要な時刻信号の発生及び当該時刻を絶対時刻（例えば、日本標準時等）に定期的に修正するプログラムである。ＰＮは演算プログラムで、電圧・電流の実効値、高調波直流分、差動継電器入力の電流差、他、電力系統維持に必要なディジタル演算を行うプログラムである。ＴＡは前記デ−タ収集プログラムＰＡの実行時間、ＴＢは前記ＳＯＥプログラムの実行時間、ＴＣは前記時刻修正プログラムＰＣの実行時間、ＴＮは前記演算プログラムＰＮの実行時間、ＴΣは前記各プログラム実行時間の合計時間（ＴＡ+ＴＢ+ ・・・ＴＮ）である。
【００５１】
又、前記各プログラムＰＡ、ＰＢ、ＰＣ、ＰＮの各実行時間ＴＡ、ＴＢ、ＴＣ、・・・・ＴＮ、及びそれらの合計時間ＴΣは、前記各設備（図２における５００ＫＶ送電系設備Ａ１、同母連系設備Ａ２、２７ＫＶ送電系設備Ａ４）毎に異なり、電力供給側拠点７ＧＳ１での判断、監視対象情報の点数量、演算装置の処理能力、前記各設備の監視速度の優先性等により
定まり、或る定められた固定の時間となる。因みに合計時間ＴΣは、５ｍｓ〜１００ｍｓ程度となる。
【００５２】
従って、前述の従来の監視装置（図２７〜図２９）を変電所内の各設備に適用した場合、各設備毎に論理判断装置２のＣＰＵ起動周期を個別に定め、処理プログラムも個別に準備する必要がという課題が生じる。更に又、前述の従来の監視装置を変電所に設置した場合、当該変電所の管轄範囲内で、大型住宅、工場等の新設、ＩＰＰ設備の電力系統への付設、変電所内設備の補充（例えば無人変電所における扉の増設、監視カメラの新設、など）等、監視対象範囲の拡大・変更が生じた場合には、適時に適切に論理判断装置２のＣＰＵ起動周期を調整したり、処理プログラムを改変する必要が生じる場合が想定されるが、そのためには、まず拡大・変更の正確な時期、規模を事前に把握する必要があり、これは現実には至難の業であり、その結果として、電力系統の信頼度確保のため本来は監視が必要な新設設備、補充設備については、ＳＯＥ機能での監視対象外となるという課題、更には新設設備、補充設備についてはＳＯＥ機能での監視対象外となっていることに保守要員が知らないという課題も生じるのである。
【００５３】
このような従来の監視装置が抱える課題に鑑み、監視対象状態情報ＩＤＩの点数が異なる変電所等の電力系統の電気所、設備、等への共通適用、監視対象範囲の拡大・変更が生じた場合への継続適用を可能にするこの発明の考え方の概念を、以下に、図５及び図６によって説明する。
【００５４】
図５及び図６は各種プログラムの繰り返し実行周期とプログラム分散の例で示す図であり、同図において、（Ｔ１）（Ｔ２）（Ｔ３）・・・（ＴＮ- ３）（ＴＮ- ２）（ＴＮ-１）（ＴＮ）は各種プログラムの繰り返し実行周期を示し、（Ｔ１）は第１回目の周期、（Ｔ２）は第２回目の周期、（ＴＮ- １）は第Ｎ- １回目の周期、（ＴＮ）は第Ｎ回目の周期で、例えば第１回目の周期（Ｔ１）では、各プログラムは次の順で実行される。即ち、デ−タ収集プログラムＰＡ１→ＳＯＥプログラムＰＢ１→時刻修正プログラムＰＣ１→その他プログラムＰＤ１→演算プログラムＰＮ１。
【００５５】
次いで、第２回目の周期（Ｔ２）では、各プログラムは次の順で実行される。即ち、デ−タ収集プログラムＰＡ１→ＳＯＥプログラムＰＢ２→時刻修正プログラムＰＣ１→その他プログラムＰＤ１→演算プログラムＰＮ１。
【００５６】
ここで、前記第２回目の周期（Ｔ２）では、デ−タ収集プログラムＰＡ１、時刻修正プログラムＰＣ１、その他プログラムＰＤ１、及び演算プログラムＰＮ１は前記第１回目の周期（Ｔ１）の場合と全く同一のプログラムが実行されている。しかし、ＳＯＥプログラムについては、前記第１回目の周期（Ｔ１）の場合にＰＢ１であったものが、前記第２回目の周期（Ｔ２）では、ＰＢ２となっている。即ちＳＯＥプログラムについては、一のプログラムＰＢがＰＢ１とＰＢ２とに二つのル−ト（Ｒ１）（Ｒ２）に分散されている。
【００５７】
ＳＯＥ情報は、電力系統に事故や異常が発生したり、電力系統構成要素が誤動作した場合等、事後に電力系統のどの部分の情報が何時変化したのか精査する場合に利用され、遮断器トリップ、遮断器投入、潮流制御ほど緊急度は要求されないので、一のプログラムＰＢがＰＢ１とＰＢ２とに二つのル−ト（Ｒ１）（Ｒ２）に分散しても電力系統安定維持の視点では特に問題になることはない。従って、規模の大きな他の電気所に同じＳＯＥプログラムを適用する場合や、臨時或いは緊急に監視対象要素が大幅に拡大した場合など、監視対象情報ＩＤＩの点数が可成り増加した場合は、図６に示すように、ＳＯＥプログラムＰＢは、第１回目周期Ｔ１〜第四回目の周期に亘って４ル−ト（ＲＩ）（Ｒ２）（Ｒ３）（Ｒ４）に更に細分散されて、ＰＢ１、ＰＢ２、ＰＢ３、ＰＢ４の４ル−トに分散される。
【００５８】
但し、ＳＯＥプログラムによる監視制御であっても、電力系統起動時の突入（インラッシュ電流）や、遮断器ＣＢの再閉路時におけるＳＯＥ情報は比較的高速性が必要であり、逆に無人変電所等の電気所における扉の開閉状態の監視については特に高速処理は必要でないので、電力系統起動時の突入電流（インラッシュ電流）発生時や、遮断器ＣＢの再閉路時における情報変化の監視は前記第１回目の周期（Ｔ１）にそのプログラムを実行し、前記無人変電所等の電気所における扉の開閉状態の監視プログラムは、前記図５の第２回目の周期（Ｔ２）或いは図６の第４回目の周期（Ｔ４）に実行する。
【００５９】
次に、この発明の具体的な実施形態の一例を図７〜図９によって説明する。図７はＳＯＥ機能の一例の一実行フロ−で示すフロ−図、図８はＳＯＥ機能実行プログラムの繰り返し実行周期とプログラム分散の考え方を説明する処理時間算定図、図９は図７のＳＯＥ機能実行フロ−を実現するＨ／Ｗ構成図である。
【００６０】
図７において、ＳＴ１は電源ＯＮ後初めての状態情報通過かどうかを判断するステップ、ＳＴ２は監視対象情報ＩＤＩを発するフォトカプラ等のディジタル情報発生源の総実装数ｎを取得するステップ、ＳＴ３は１ル−ト（演算装置（ＣＰＵ）の起動周期時間ＴΣ）当たりのＳＯＥ処理すべき監視対象情報ＩＤＩの最適数ｄを取得するステップ、ＳＴ４は前記ステップＳＴ２で取得した情報発生源の総実装数ｎと前記ステップＳＴ３で取得した監視対象情報ＩＤＩの最適数ｄとを基に最適ル−ト分割数（ＳＯＥプログラムの最適分散数）ｄｎを演算するステップである。
【００６１】
ＳＴ５はＡ＝Ａ＋１のカウントを行うステップで、第何回目のル−ト（プログラム実行周期）であるか出力する。ＳＴ６はＩＤＩ状態変化検出処理ステップで、前記ステップＳＴ３が取得したＩＤＩ最適数ｄと前記ステップＳＴ５の出力（Ａ）とで決まる番地のＩＤＩ状態変化を検出する。ＳＴ７はＳＯＥ時刻付与処理のステップで、前記ステップＳＴ６で状態変化があったＩＤＩ情報に時刻を付与する。ＳＴ８は前記ステップＳＴ５の出力Ａと前記ＩＤＩ最適数ｄとがＡ≧ｄの関係にあるかどうか判別するステップである。
【００６２】
ＳＴ９は伝送処理ステップで、前記ステップＳＴ８において前記関係Ａ≧ｄが成立した場合に、前記ステップＳＴ７で時刻付与された状態変化情報を出力する。この出力は本装置外のプリンタや表示装置に送出されたり、本装置内または外の、外からアクセスできる記憶装置に格納される。ＳＴ１０は初期化ステップで、前記ステップＳＴ９が伝送処理した場合、及び前記ステップＳＴ４が最適ル−ト分割数（ＳＯＥプログラムの最適分散数）ｄｎを導出した場合、の何れかの場合に、前記ＳＴ５のカウントをリセットする。
【００６３】
図８は、図７のステップＳＴ４での最適ル−ト分割数（ＳＯＥプログラムの最適分散数）ｄｎが２より大きい場合について示してあり、図７のステップＳＴ５の出力がＡ＝１の場合、即ち第１回目の周期（ル−ト）（Ｔ１）（Ｒ１）の場合は、監視対象情報ＩＤＩは（１）番地から（ｄ）番地まで状態変化検出処理が行われ、ステップＳＴ５の出力がＡ＝２の場合、即ち第２回目の周期（ル−ト）（Ｔ２）（Ｒ２）の場合は、監視対象情報ＩＤＩは（ｄ+１）番地から（ｄ＊２）番地まで状態変化検出処理が行われる。ＳＯＥプログラムの分散数（ル−ト分割数）が２を超えて任意の数ｄｎの場合、ステップＳＴ５の出力もＡ＝ｄｎとなり、
監視対象情報ＩＤＩは（ｄ＊（ｄｎ−１）＋１）番地から（ｄ＊ｄｎ）番地まで状態変化検出処理が行われる。
【００６４】
ここで、監視対象情報ＩＤＩの１点についての状態変化検出処理時間をＴｄとすると、前記第１回目の周期（ル−ト）（Ｔ１）（Ｒ１）で状態変化検出処理が監視対象情報ＩＤＩ（１）番地から（ｄ）番地まで行われる時間、前記第２回目の周期（ル−ト）（Ｔ２）（Ｒ２）で状態変化検出処理が監視対象情報ＩＤＩ（ｄ+１）番地から（ｄ＊２）番地まで行われる時間、更に、前記第ｄｎ回目の周期（ル−ト）（Ｔｄｎ）（Ｒｄｎ）で状態変化検出処理が監視対象情報ＩＤＩ（ｄ＊（ｄｎ−１）＋１）番地から（ｄ＊ｄｎ）番地まで行われる時間、はＴｄ×ｄとなる。そしてＴｄ×ｄのｄは、前記従来のＴｄ×ｎ（図２９）より小さく、ｄ≪ｎの関係となる。しかも、ル−ト分割数（複数周期へのプログラム分散数）は任意に或いは自動的に増加でき、従って、同じ製品を監視対象情報ＩＤＩの多い他の電気所にも使用でき、また、監視対象情報ＩＤＩの点数に増加変更が生じても柔軟に対応でき、監視制御システムはそのまま継続して使用できる。
【００６５】
ＳＯＥ時刻付与（ステップＳＴ７）についても、前述の状態変化検出処理（ステップＳＴ６）の場合と同様にル−ト分割（複数周期へのプログラム分散）されているので、前述の状態変化検出処理（ステップＳＴ６）の場合と同様な効果を奏する。
【００６６】
図９において、Ｓ１〜Ｓｎは監視対象となる系統構成要素で、前記遮断器ＣＢ、断路器ＤＳ、継電器等の接点の他、計器用変圧器ＰＴ、変流器ＣＴ、電動機、空気調和器、照明機器、ケ−ブル、電線、等、監視対象となる多数の電力系統構成要素の状態や、母線や送電線の電圧、母線や送電線の電流、零相電流、潮流、位相、絶縁耐量、ガス圧、温度、湿度、等の物理量、等の検出器出力等である。１はプロセス入力装置で、前記系統構成要素Ｓ１〜Ｓｎの状態出力情報をフォトカプラ等によりディジタル状態情報として出力するものである。４は外部装置で、本装置外のプリンタ等の記録装置や表示装置、本装置外の記憶装置、本装置外からアクセスできる本装置内サ−バ等である。
【００６７】
８は監視制御装置で、コンピュ−タを構成する制御装置８ｃｕ、演算装置８ａｌｕ、及び記憶装置８ｓｕ等から構成されている。又、この制御装置８は、前記制御装置８ｃｕ、演算装置８ａｌｕ、及び搭載プログラムにより次のような各種手段８０１〜８１１を備えている。即ち、８０１は電源ON後初通過判断手段で、電源ＯＮ後初めての状態情報通過かどうかを判断する機能を備えている。８０２はＩＤＩ実装数ｎ取得手段で、監視対象情報ＩＤＩを発するフォトカプラ等のディジタル情報発生源の総実装数ｎを取得する機能を備えている。８０３は1ル−トＩＤＩ最適数ｄ取得手段で、１ル−ト（演算装置８ａｌｕの起動周期時間ＴΣ）当たりの監視処理すべき監視対象情報ＩＤＩの最適数ｄを取得する機能を備えている。
【００６８】
８０４は最適ル−ト分割数演算手段で、前記手段８０２が取得した情報発生源の総実装数ｎと前記手段８０３が取得した監視対象情報ＩＤＩの最適数ｄとを基に最適ル−ト分割数（ＳＯＥプログラムの最適分散数）ｄｎを演算する機能を備えている。８０５はＡ＝Ａ＋１カウント手段で、Ａ＝Ａ＋１のカウントを行い、第何回目のル−ト（プログラム実行周期）であるか出力する機能を備えている。８０６はＩＤＩ状態変化検出手段で、前記手段８０３が取得したＩＤＩ最適数ｄと前記Ａ＝Ａ＋１カウント手段出力（Ａ）とで決まる番地のＩＤＩ状態変化を検出する。
【００６９】
８０７はＳＯＥ時刻付与手段で、前記ＩＤＩ状態変化検出手段８０６での検出で状態変化のあったＩＤＩ情報に時刻を付与する機能を備えている。８０８は前記手段８０５の出力Ａと前記ＩＤＩ最適数ｄとがＡ≧ｄの関係にあるかどうか判別する機能を備えている。８０９は伝送手段で、前記手段８０８において前記関係Ａ≧ｄが成立した場合に、前記手段８０７で時刻付与された状態変化情報を出力する機能を備えている。この出力は本装置外のプリンタや表示装置等に出力装置４を介して送出されたり、本装置内または外の、外からアクセスできる記憶装置に格納される。８１０はＡ＝０初期化手段（カウンタを初期化）で、前記伝送手段８０９が伝送処理した場合、及び前記最適ル−ト分割数演算手段８０４が最適ル−ト分割数（ＳＯＥプログラムの最適分散数）ｄｎを導出した場合、の何れかの場合にも、前記手段８０５のカウントをリセットする機能を備えている。
【００７０】
次に前記図７を主体に図９と関連付けながらＳＯＥ機能の動作を説明する。
本監視制御装置８（図９）の電源を投入すると、最初に、ステップＳＴ１において、電源ON後初通過判断手段８０１（図９）の機能により、電源ON後初めての通過（演算装置８ａｌｕの最初の起動（第一回目の周期））と判断され、Ｙ（ＹＥＳ）へと進み、ステップＳＴ２において、ＩＤＩ実装数ｎ取得手段８０２（図９）の機能により記憶装置８ｓｕ（図９）から本監視制御装置８が監視対象とする状態情報ＩＤＩの総点数ｎを取得する。次いでステップＳＴ３において、1ル−トＩＤＩ最適数ｄ取得手段８０３の機能により、１ル−ト（演算装置８ａｌｕの起動周期時間ＴΣ）での状態情報ＩＤＩの状態変化検出最適数量ｄを記憶装置８ｓｕ（図９）から取得する。次にステップＳＴ４において、最適ル−ト分割数演算手段（図９）により、前記ステップＳＴ２・ＳＴ３で取得した状態情報ＩＤＩの総点数ｎと、１ル−ト（演算装置８ａｌｕの起動周期時間ＴΣ）での状態情報ＩＤＩの状態変化検出最適数量ｄとを基にル−ト分割数（プログラムの複数周期への分散数）をｎ／ｄで算出しｄｎとする。例えば、ｎ＝３１０、ｄ＝１００の場合は、ｄｎは４とする。ステップＳＴ４において前記ｄｎが算出されると、ステップＳＴ１０に進み、Ａ＝０初期化手段（図９）により、ステップＳＴ５の累積カウントＡをゼロにする（初期化する）。
【００７１】
次にスタ−トに戻り、ステップＳＴＩにおいて、電源ON後初通過判断手段８０１（図９）の機能により、今度は電源ＯＮご初めての通過ではないため、Ｎ（ＮＯ）へと進み、ステップＳＴ５において、Ａ＝Ａ＋１カウント手段８０５（図９）の機能により、Ａに１を加算してＡ＝１とする。次にステップＳＴ６において、Ａ＝１を受けて、ＩＤＩ状態変化検出手段８０６（図９）の機能により、現在のカウンタ値Ａ“１”と、前記ステップＳＴ３で取得された１ル−ト（演算装置８ａｌｕの起動周期時間ＴΣ）での状態情報ＩＤＩの状態変化検出最適数量ｄとを基に、ステップＳＴ６に示す算式( ｄ * (Ａ-1)+1)〜（ｄ * Ａ）によって状態変化を検出すべき状態情報ＩＤＩの開始番地と終了番地とを算出して、当該開始番地〜終了番地までの状態情報ＩＤＩにつき状態変化検出処理を行う。
【００７２】
例えば、前述のｎ＝３１０、ｄ＝１００、ｄｎ＝４の場合、Ａ＝１（第１回目のル−ト（周期））では、前記算式( ｄ * (Ａ-1)+1)〜（ｄ * Ａ）で計算すると、開始番地は（１００×（１- １）+ １）で導出され、１００×０+ １＝１となる。同様に終了番地は（１００×１）で導出され１００となる。ＳＯＥプログラムの実行が進みＡ＝２（第２回目のル−ト（周期））となった場合の開始番地は（１００×（２- １）+ １）で導出され、１００×１+ １＝１０１、終了番地は１００×２＝２００となる。即ち、ステップＳＴ６において、状態情報ＩＤＩの状態変化検出処理は、第１回目のル−ト（周期）では、１〜１００までについて、第２回目のル−ト（周期）では、１０１〜２００までについて実行される。
【００７３】
次にステップＳＴ７において、ＳＯＥ時刻付与手段８０７（図９）の機能により、状態変化が検出された状態情報ＩＤＩに対し、検出時点での時刻付与処理が実行される。次に、ステップＳＴ８において、Ａ≧ｄｎ判断手段８０８（図９）の機能により、累積カウント値Ａとル−ト分割数（プログラムの複数周期への分散数）ｄｎとの関係がＡ≧ｄｎとなるまで、ステップＳＴ５〜ＳＴ７の処理を繰り返し、検出対象の全状態情報ＩＤＩの最初の番地１〜最後の番地ｎまでの状態変化検出処理が一巡したとき、ステップＳＴ８においてＡ≧ｄｎ判断手段８０８（図９）の機能によりＹ（ＹＥＳ）へと進み、前記ステップＳＴ６、ＳＴ７の処理結果情報が監視制御情報として、ステップＳＴ９で伝送手段８０９（図９）の機能により送り出される。
【００７４】
そして、ステップＳＴ９からステップＳＴ１０と進み、ステップＳＴ１０において、Ａ＝０初期化手段８１０（図９）の機能により、ステップＳＴ５のカウント値がゼロに初期化され、以後、ステップＳＴ５〜ＳＴ１０の前述の処理が繰り返し実行され、検出対象の全状態情報ＩＤＩの最初の番地１〜最後の番地ｎまでの状態変化検出処理が繰り返し実行される。ステップＳＴ２〜ＳＴ４での処理は、監視制御装置の起動時だけ実行され、従って前記監視対象とする状態情報ＩＤＩの総点数ｎ、状態変化検出最適数量ｄ、ル−ト分割数（プログラムの複数周期への分散数）ｄｎは起動当初に取得される。
【００７５】
なお、図７〜図９において、ＳＯＥの分解能時間Ｔｓｏｅは、起動周期時間ＴΣ×ル−ト分割数（複数周期へのプログラム分散数）ｄｎとなる。また、前記状態変化検出最適数量ｄは事前に人が入力する場合と、演算装置８ａｌｕの処理能力、ＳＯＥプログラム及びＳＯＥプログラム以外の各種プログラムをも計算に入れた演算装置８ａｌｕの負荷、ＳＯＥプログラムと他のプログラムとの処理速度・時期に関する相対的優先度、等から、制御装置８ｃｕ及び演算装置８ａｌｕとで自動計算する場合とがある。
【００７６】
図１０は、監視される状態情報の取り出す構成の一例を示す図で、Ｓ１、Ｓ２・・・Ｓｎはリレ−等の接点、１０１、１０２・・・１０ｎはフォトカプラ等のＡ／Ｄ変換器、ＣＳはカ−ドスロット、ＤＢはデ−タバスである。接点Ｓ１、Ｓ２・・・Ｓｎの開閉状態の情報はフォトカプラ等のＡ／Ｄ変換器１０１、１０２・・・１０ｎを介してデ−タバスＤＢに取り込まれる。従って、接点Ｓ１、Ｓ２・・・Ｓｎはそれぞれ固有の番地存在する状態情報として把握することができる。
【００７７】
実施の形態２．
以下、この発明の実施の形態２の一例を図１１〜図１３に基づいて説明する。図１１はＳＯＥ機能の他の例の一実行フロ−で示すフロ−図、図１２はＳＯＥ機能実行プログラムの繰り返し実行周期とプログラム分散の考え方で説明する処理時間算定図、図１３は機能を実行するＨ／Ｗで示す図である。
【００７８】
前述の実施形態１では、当該監視制御装置の電源を投入した当初に、図７のステップＳＴ２〜ＳＴ４における処理で、１回だけル−ト分割（複数周期へのプログラムの分散実行）のための設定を実施するものについて例示したが、この実施形態２では、図１１に示すようにステップＳＴ１１を追加し、図１３に示すように装置条件変化有無判別手段８１１を監視制御装置８に追加たものである。このステップＳＴ１１を追加することにより、ＳＯＥ処理実行中に条件変化が生じた場合、例えば試験運転時だけ別な処理が必要になる場合や運用上の特殊処理を走らせる場合、ステップＳＴ２〜ステップＳＴ４の処理をもう一度実行して、ル−ト分割（複数周期へのプログラムの分散）の再設定を実行し、前記別の処理を追加実行できるようにしてものである。
【００７９】
この場合、ステップＳＴ２で取得する状態情報ＩＤＩ実装数ｎ、ステップＳＴ３で取得する１ル−ト（１周期）で監視する状態情報の最適点数ｄの値は、前記追加による条件変化により、追加前とは変化した値となる。なお、実際には別の処理を追加実行するために、ｄの値は追加前より小さな値として１起動周期当たりの状態変化検出処理時間を短縮する。又、図１２に示すように、Ａ＝ｄｎのときにＩＤＩ状態変化検出処理とＳＯＥ時刻付与処理の余剰時間に伝送処理時間を嵌め込み、全体の時間効率を上げることもできる。なお、その他の機能、構成については前述の実施形態１と実質的に同じであるので、詳細説明は省略する。
【００８０】
実施の形態３．
前述の実施形態１では、ＳＯＥ分解能時間を１種類に限って自動的に最適設定する場合について例示したが、この実施形態２では、図１４〜１６に示すように、例えば電力系統の維持に直接関係しない無人変電所の扉の開閉監視等のように監視制御処理を特に早くする必要が無い場合と、電力系統の維持に直接関係する場合とで、処理の仕方を分けるようにしたもので、この実施形態３では、前者を低速処理、後者を中速処理と呼称してある。処理の仕方を分けるのため、ＩＤＩ実装数ｎの取得、１ル−ト（周期）ＩＤＩ最適数ｄの取得、最適ル−ト数（プログラム実行機能分散数）、ＩＤＩ状態変化検出処理、ＳＯＥ時刻付与処理、ル−ト（周期）カウンタ、カウンタ初期化、ル−ト（周期）数の所定数到達判別、の各機能、機能実行手段を、低速用及び中速用にそれぞれ設けてある。なお、その他の機能、構成を含め、前述の実施形態１と本質的に同じであるので、詳細説明は省略する。
【００８１】
実施の形態４．
前述の実施形態３は、低速用及び中速用に処理の仕方を分けるようにした場合を例示したが、例えば遮断器の再閉路に係るＳＯＥ処理のように高速処理が要求される場合のように、ル−ト分割（プログラム実行機能の複数周期への分散）が適さない場合がある。この実施形態４は、このような高速処理が要求される場合の実施形態を例示するものである。即ち、前記実施形態３では、中速用ＩＤＩ状態変化検出処理（ステップＳＴ６Ｍ）と、中速用ＳＯＥ時刻付与処理（ステップＳＴ７Ｍ）をル−ト分割（プログラム実行機能の複数周期への分散）すべく、フォトカプラ等のＩＤＩ番地を累積カウンタ（ステップＳＴ５Ｍ）の値により算出していたが、この実施形態４では、図１７に示すように、高速ＳＯＥ用固定番地１〜ｎ０については、ＩＤＩ状態変化検出処理（ステップＳＴ６Ｈ）、ＳＯＥ時刻付与処理（ステップＳＴ７Ｈ）を毎回（毎周期）実行するようにしたものである。このようにすることにより、例えば図１８に示すように、高速用に対応したＳＯＥ分解能時間を得ることができる。なお、その他の機能、構成を含め、前述の実施形態１と本質的に同じであるので、詳細説明は省略する。
【００８２】
実施の形態５．
図２０は各種プログラムの繰り返し実行周期とプログラム分散の他の例で示す図で、ＳＯＥプログラムＰＢを、２種類に分け、その１種類のみル−ト分割（プログラム実行機能の複数周期への分散）する分割（分散）パタ−ンを例示してあり、この発明はこのようなパタ−ンにも適用できる。
【００８３】
実施の形態６．
図２１は各種プログラムの繰り返し実行周期とプログラム分散の他の例で示す図で、ＳＯＥプログラムＰＢを、３種類に分け、そのうち２種類のみル−ト分割（プログラム実行機能の複数周期への分散）する分割（分散）パタ−ンを例示してあり、この発明はこのようなパタ−ンにも適用できる。
【００８４】
実施の形態７．
図２２は各種プログラムの繰り返し実行周期とプログラム分散の他の例で示す図で、ＳＯＥプログラムＰＢを、４つにル−ト分割（プログラム実行機能の複数周期への分散）する分割（分散）パタ−ンを例示してあり、この発明はこのようなパタ−ンにも適用できる。
【００８５】
実施の形態８．
図２３は各種プログラムの繰り返し実行周期とプログラム分散の他の例で示す図で、時刻修正プログラムＰＣをル−ト分割（プログラム実行機能の複数周期への分散）する分割（分散）パタ−ンを例示してあり、この発明はこのようなパタ−ンにも適用できる。
【００８６】
実施の形態９．
図２４は各種プログラムの繰り返し実行周期とプログラム分散の他の例で示す図で、デ−タ収集プログラムＰＡ及び演算プログラムＰＮを、それぞれ３種類に分け、それぞれそのうち２種類のみル−ト分割（プログラム実行機能の複数周期への分散）し、且つ、ＳＯＥプログラムＰＢを、ル−ト分割（プログラム実行機能の複数周期への分散）した場合のパタ−ンを例示してあり、この発明はこのようなパタ−ンにも適用できる。
【００８７】
実施の形態１０．
図２４は各種プログラムの繰り返し実行周期とプログラム分散の他の例で示す図で、ＳＯＥプログラムＰＢ及び時刻修正プログラムＰＣを、それぞれ３種類に分け、それぞれそのうち２種類のみル−ト分割（プログラム実行機能の複数周期への分散）する分割（分散）パタ−ンを例示してあり、この発明はこのようなパタ−ンにも適用できる。
【００８８】
実施の形態１１．
前述の実施形態では、電力系統の監視制御方法及び装置として変電所の場合を例示したが、変電所に限らず、例えば発電所、工場、ビル等も電力系統の一部であり、この発明は発電所、工場、ビル等に適用しても前述と同等の効果を奏する。
【００８９】
【発明の効果】
請求項１に記載の電力系統の監視制御方法の発明は、電力系統を構成している要素の状態情報をプロセス入力装置を介して収集する状態情報収集処理、この状態情報収集処理で収集した状態情報を基に行うＳＯＥ処理、及びこのＳＯＥ処理によりＳＯＥ処理された状態情報を基に電力系統維持に必要な演算を行う演算処理、をそれらのプログラムを連続的に繰り返し実行することにより監視制御する方法であって、前記各処理の少なくとも一の処理を、前記状態情報の点数に対応して、前記繰り返しの周期の複数周期に分散して行うので、監視対象状態情報の点数が異なる電気所、設備等に対し全く個別に準備する必要が無くなり共通に適用でき、又、監視対象範囲の拡大や変更が生じた場合も継続的に適用できる効果がある。
【００９０】
請求項１１に記載の電力系統の監視制御装置の発明は、制御装置、演算装置、記憶装置及びプロセス入力装置を備え、電力系統を構成している要素の状態情報を前記プロセス入力装置を介して収集する状態情報収集処理、この状態情報収集処理で収集した状態情報を基に行うＳＯＥ処理、及びこのＳＯＥ処理によりＳＯＥ処理された状態情報を基に電力系統維持に必要な演算を行う演算処理、の各プログラムを連続的に繰り返し実行させる監視制御装置であって、前記各処理の少なくとも一の処理を、前記状態情報の点数に対応して、前記繰り返しの周期の複数周期に分散して行わせるので、監視対象状態情報の点数が異なる電気所、設備等に対し全く個別に準備する必要が無くなり共通に適用でき、又、監視対象範囲の拡大や変更が生じた場合も継続的に適用でき、しかも監視制御装置の使用者に手を煩わせずに、装置提供側が発明機能を備えた監視制御装置を前記使用者に対し準備できる効果がある。
【００９１】
請求項２に記載の電力系統の監視制御方法の発明は、電力系統を構成している要素の状態情報をプロセス入力装置を介して入手し、この入手した状態情報について、連続的に実行される複数のプログラムを繰り返し実行することにより監視制御する方法であって、前記各プログラム少なくとも一のプログラムを、前記状態情報の点数に対応して、前記繰り返しの周期の複数周期に分散して実行するので、監視対象状態情報の点数が異なる電気所、設備等に対し全く個別に準備する必要が無くなり共通に適用でき、又、監視対象範囲の拡大や変更が生じた場合も継続的に適用でき、しかも、これらの効果を、自プログラムの範囲内で対応することで奏することができる効果がある。
【００９２】
請求項１２に記載の電力系統の監視制御装置の発明は、制御装置、演算装置、記憶装置及びプロセス入力装置を備え、電力系統を構成している要素の状態情報を前記プロセス入力装置を介して入手し、この入手した状態情報について、連続的に実行される複数のプログラムを繰り返し実行させる監視制御装置であって、前記各プログラムの少なくとも一のプログラムを、前記状態情報の点数に対応して、前記繰り返しの周期の複数周期に分散して実行させるので、監視対象状態情報の点数が異なる電気所、設備等に対し全く個別に準備する必要が無くなり共通に適用でき、又、監視対象範囲の拡大や変更が生じた場合も継続的に適用でき、しかもこれらの効果を、自プログラムの範囲内で対応することで奏することができ、更には、監視制御装置の使用者に手を煩わせずに、装置提供側が発明機能を備えた監視制御装置を前記使用者に対し準備できる効果がある。
【００９３】
請求項３に記載の電力系統の監視制御方法の発明は、電力系統を構成している要素の状態情報をプロセス入力装置を介して入手し、この入手した状態情報について、プログラムを繰り返し実行することにより監視制御する方法であって、前記プログラムを、前記状態情報の点数に対応して、前記繰り返しの周期の複数周期に分散して実行するので、監視対象状態情報の点数が異なる電気所、設備等に対し全く個別に準備する必要が無くなり共通に適用でき、又、監視対象範囲の拡大や変更が生じた場合も継続的に適用でき、しかもこれらの効果を奏するように、他のプログラムとは独立してこの発明を実施できる効果がある。
【００９４】
請求項１３に記載の電力系統の監視制御装置の発明は、制御装置、演算装置、記憶装置及びプロセス入力装置を備え、電力系統を構成している要素の状態情報を前記プロセス入力装置を介して入手し、この入手した状態情報について、プログラムを繰り返し実行させる監視制御装置であって、前記プログラムを、前記状態情報の点数に対応して、前記繰り返しの周期の複数周期に分散して実行させるので、監視対象状態情報の点数が異なる電気所、設備等に対し全く個別に準備する必要が無くなり共通に適用でき、又、監視対象範囲の拡大や変更が生じた場合も継続的に適用でき、しかもこれらの効果を奏するように、他のプログラムとは独立してこの発明を実施でき、更には、監視制御装置の使用者に手を煩わせずに、装置提供側が発明機能を備えた監視制御装置を前記使用者に対し準備できる効果がある。
【００９５】
請求項４に記載の係る電力系統の監視制御方法の発明は、電力系統を構成している要素の状態情報をプロセス入力装置を介して入手し、この入手した状態情報について、ＳＯＥ処理を行うＳＯＥプログラムを繰り返し実行することにより監視制御する方法であって、前記ＳＯＥプログラムを、前記状態情報の点数に対応して、前記繰り返しの周期の複数周期に分散して実行するので、監視対象状態情報の点数が異なる電気所、設備等に対し全く個別に準備する必要が無くなり共通に適用でき、又、監視対象範囲の拡大や変更が生じた場合も継続的にＳＯＥ機能を呈し、しかもこれらの効果を奏するように、他のプログラムとは独立してこの発明を実施できる効果がある。
【００９６】
請求項１４に記載の電力系統の監視制御装置の発明は、制御装置、演算装置、記憶装置及びプロセス入力装置を備え、電力系統を構成している要素の状態情報を前記プロセス入力装置を介して入手し、この入手した状態情報について、ＳＯＥ処理を行うＳＯＥプログラムを繰り返し実行させる監視制御装置であって、前記ＳＯＥプログラムを、前記状態情報の点数に対応して、前記繰り返しの周期の複数周期に分散して実行させるので、監視対象状態情報の点数が異なる電気所、設備等に対し全く個別に準備する必要が無くなり共通に適用でき、又、監視対象範囲の拡大や変更が生じた場合も継続的にＳＯＥ機能を呈し、しかもこれらの効果を奏するように、他のプログラムとは独立してこの発明を実施でき、更には、監視制御装置の使用者に手を煩わせずに、装置提供側が発明機能を備えた監視制御装置を前記使用者に対し準備できる効果がある。
【００９７】
請求項５に記載の電力系統の監視制御方法は、電力系統を構成している要素の状態情報をプロセス入力装置を介して収集するデータ収集プログラムを繰り返し実行することにより監視制御する方法であって、前記データ収集プログラムを、前記状態情報の点数に対応して、前記繰り返しの周期の複数周期に分散して実行するので、監視対象状態情報の点数が異なる電気所、設備等に対し全く個別に準備する必要が無くなり共通に適用でき、又、監視対象範囲の拡大や変更が生じた場合も継続的に状態情報収集処理機能を呈し、しかもこれらの効果を奏するように、他のプログラムとは独立してこの発明を実施できる効果がある。
【００９８】
請求項１５に記載の電力系統の監視制御装置の発明は、制御装置、演算装置、記憶装置及びプロセス入力装置を備え、電力系統を構成している要素の状態情報を前記プロセス入力装置を介して収集するデータ収集プログラムを繰り返し実行させる監視制御装置であって、前記データ収集プログラムを、前記状態情報の点数に対応して、前記繰り返しの周期の複数周期に分散して実行させるので、監視対象状態情報の点数が異なる電気所、設備等に対し全く個別に準備する必要が無くなり共通に適用でき、又、監視対象範囲の拡大や変更が生じた場合も継続的に状態情報収集処理機能を呈し、しかもこれらの効果を奏するように、他のプログラムとは独立してこの発明を実施でき、更には監視制御装置の使用者に手を煩わせずに、装置提供側が発明機能を備えた監視制御装置を前記使用者に対し準備できる効果がある。
【００９９】
請求項６に記載の電力系統の監視制御方法の発明は、電力系統を構成している要素の状態情報をプロセス入力装置を介して入手し、この入手した状態情報について、電力系統維持に必要な演算を行う演算プログラムを繰り返し実行することにより監視制御する方法であって、前記演算プログラムを、前記状態情報の点数に対応して、前記繰り返しの周期の複数周期に分散して実行するので、監視対象状態情報の点数が異なる電気所、設備等に対し全く個別に準備する必要が無くなり共通に適用でき、又、監視対象範囲の拡大や変更が生じた場合も継続的に演算処理機能を呈し、しかもこれらの効果を奏するように、他のプログラムとは独立してこの発明を実施できる効果がある。
【０１００】
請求項１６に記載の電力系統の監視制御装置の発明は、制御装置、演算装置、記憶装置及びプロセス入力装置を備え、電力系統を構成している要素の状態情報を前記プロセス入力装置を介して入手し、この入手した状態情報について、電力系統維持に必要な演算を行う演算プログラムを繰り返し実行させる監視制御装置であって、前記演算プログラムを、前記状態情報の点数に対応して、前記繰り返しの周期の複数周期に分散して実行させるので、監視対象状態情報の点数が異なる電気所、設備等に対し全く個別に準備する必要が無くなり共通に適用でき、又、監視対象範囲の拡大や変更が生じた場合も継続的に演算処理機能を呈し、しかもこれらの効果を奏するように、他のプログラムとは独立してこの発明を実施でき、更には監視制御装置の使用者に手を煩わせずに、装置提供側が発明機能を備えた監視制御装置を前記使用者に対し準備できる効果がある。
【０１０１】
請求項７に記載の電力系統の監視制御方法の発明は、請求項１〜６の何れか一に記載の監視制御方法において、前記分散数を、処理対象の状態情報の点数と演算装置の演算処理能力とによって決めるので、演算装置の演算処理能力を超えることなく、監視対象状態情報の点数が異なる電気所、設備等に対し全く個別に準備する必要が無くなり共通に適用でき、又、監視対象範囲の拡大や変更が生じた場合も継続的に適用できる効果がある。
【０１０２】
請求項１７に記載の電力系統の監視制御装置の発明は、請求項１１〜１６の何れか一に記載の監視制御装置において、前記制御装置が、前記分散数を、処理対象の前記状態情報の点数と前記演算装置の演算処理能力とによって決めるので、演算装置の演算処理能力を超えることなく、監視対象状態情報の点数が異なる電気所、設備等に対し全く個別に準備する必要が無くなり共通に適用でき、又、監視対象範囲の拡大や変更が生じた場合も継続的に適用でき、しかも監視制御装置の使用者に手を煩わせずに、装置提供側が発明機能を備えた監視制御装置を前記使用者に対し準備できる効果がある。
【０１０３】
請求項８に記載の電力系統の監視制御方法の発明は、請求項７に記載の監視制御方法において、処理対象の状態情報の点数を、毎周期或いは所定周期毎に取り込み、この毎周期或いは所定周期毎に取り込んだ点数と演算装置の演算処理能力とによって前記分散数を決めるので、監視対象範囲の拡大や変更が急遽生じた場合であっても、演算装置の演算処理能力を超えることなく、監視対象状態情報の点数が異なる電気所、設備等に対し全く個別に準備する必要が無くなり共通に適用でき、又、監視対象範囲の拡大や変更が生じた場合も継続的に適用できる効果がある。
【０１０４】
請求項１８に記載の電力系統の監視制御装置の発明は、請求項１７に記載の監視制御装置において、前記制御装置が、処理対象の状態情報の点数を、毎周期或いは所定周期毎に取り込み、この毎周期或いは所定周期毎に取り込んだ点数と前記演算装置の演算処理能力とによって決めるので、監視対象範囲の拡大や変更が急遽生じた場合であっても、演算装置の演算処理能力を超えることなく、監視対象状態情報の点数が異なる電気所、設備等に対し全く個別に準備する必要が無くなり共通に適用でき、又、監視対象範囲の拡大や変更が生じた場合も継続的に適用でき、しかも監視制御装置の使用者に手を煩わせずに、装置提供側が発明機能を備えた監視制御装置を前記使用者に対し準備できる効果がある。
【０１０５】
請求項９に記載の電力系統の監視制御方法の発明は、請求項１〜８の何れか一に記載の監視制御方法において、高速処理が要求される機能を、最初の周期に分散されたプログラムにより実行し、他の機能を後の周期に分散されたプログラムにより実行させるので、処理機能を分散させても、高速処理が要求される機能は優先的に処理される効果がある。
【０１０６】
請求項１９に記載の電力系統の監視制御装置の発明は、請求項１１〜１８の何れか一に記載の監視制御装置において、前記制御装置が、高速処理が要求される機能を、最初の周期に分散されたプログラムにより実行させ、他の機能を後の周期に分散されたプログラムにより実行させるので、処理機能を分散させても、高速処理が要求される機能は優先的に処理され、しかも監視制御装置の使用者に手を煩わせずに、装置提供側が発明機能を備えた監視制御装置を前記使用者に対し準備できる効果がある。
【０１０７】
請求項１０に記載の電力系統の監視制御方法の発明は、請求項１〜８の何れか一に記載の電力系統の監視制御方法において、高速処理が要求される機能の方を、他の機能より、実行される周期を多くするので、処理機能を分散させても、高速処理が要求される機能は、他の機能より高速に処理される効果がある。
【０１０８】
請求項２０に記載の電力系統の監視制御装置の発明は、請求項１１〜１８の何れか一に記載の監視制御装置において、前記制御装置が、高速処理が要求される機能を実行させる周期数の方が、他の機能を実行させる周期数を多くするので、処理機能を分散させても、高速処理が要求される機能は、他の機能より高速に処理され、しかも監視制御装置の使用者に手を煩わせずに、装置提供側が発明機能を備えた監視制御装置を前記使用者に対し準備できる効果がある。
【図面の簡単な説明】
【図１】 この発明の実施の形態１を示す電力系統の監視制御システムの概念図。
【図２】 この発明の実施の形態１を示す各種設備の接続図。
【図３】 この発明の実施の形態１を示す電力系統への監視制御装置の配設図。
【図４】 この発明の実施の形態１を示す各種プログラムの編成図。
【図５】 この発明の実施の形態１を、各種プログラムの繰り返し実行周期とプログラム分散の一例で示す図。
【図６】 この発明の実施の形態１を、各種プログラムの繰り返し実行周期とプログラム分散の他の例で示す図。
【図７】 この発明の実施の形態１を、ＳＯＥ機能の一例の一実行フロ−で示すフロ−図。
【図８】 この発明の実施の形態１を、ＳＯＥ機能実行プログラムの繰り返し実行周期とプログラム分散の考え方で説明する処理時間算定図。
【図９】 この発明の実施の形態１を、機能を実行するＨ／Ｗで示す図。
【図１０】 この発明の実施の形態１を、監査対象の状態信号を取り出す一接続図で示す図。
【図１１】 この発明の実施の形態２を、ＳＯＥ機能の他の例の一実行フロ−で示すフロ−図。
【図１２】 この発明の実施の形態２を、ＳＯＥ機能実行プログラムの繰り返し実行周期とプログラム分散の考え方で説明する処理時間算定図。
【図１３】 この発明の実施の形態２を、機能を実行するＨ／Ｗで示す図。
【図１４】 この発明の実施の形態３を、ＳＯＥ機能の他の例の一実行フロ−で示すフロ−図。
【図１５】 この発明の実施の形態３を、ＳＯＥ機能実行プログラムの繰り返し実行周期とプログラム分散の考え方で説明する処理時間算定図。
【図１６】 この発明の実施の形態３を、機能を実行するＨ／Ｗで示す図。
【図１７】 この発明の実施の形態４を、ＳＯＥ機能の他の例の一実行フロ−で示すフロ−図。
【図１８】 この発明の実施の形態４を、ＳＯＥ機能実行プログラムの繰り返し実行周期とプログラム分散の考え方で説明する処理時間算定図。
【図１９】 この発明の実施の形態４を、機能を実行するＨ／Ｗで示す図、
【図２０】 この発明の実施の形態５を、各種プログラムの繰り返し実行周期とプログラム分散の他の例で示す図。
【図２１】 この発明の実施の形態６を、各種プログラムの繰り返し実行周期とプログラム分散の他の例で示す図。
【図２２】 この発明の実施の形態７を、各種プログラムの繰り返し実行周期とプログラム分散の他の例で示す図。
【図２３】 この発明の実施の形態８を、各種プログラムの繰り返し実行周期とプログラム分散の他の例で示す図。
【図２４】 この発明の実施の形態９を、各種プログラムの繰り返し実行周期とプログラム分散の他の例で示す図。
【図２５】 この発明の実施の形態１０を、各種プログラムの繰り返し実行周期とプログラム分散の他の例で示す図。
【図２６】 従来の監視制御装置の対象である電力系統図。
【図２７】 従来の監視制御装置のＨ／Ｗブロック図。
【図２８】 従来の監視制御装置のＳＯＥ機能の実行フロ−を示すフロ−図。
【図２９】 従来の監視制御装置の各種プログラムの処理時間算定図。
【符号の説明】
８ 監視制御装置、８ｃｕ 制御装置、８ａｌｕ 演算装置、
８ｓｕ 記憶装置、ｎ 監視対象状態情報ＩＤＩ実装数（点数）、
ｄ  １ル−ト（周期）ＩＤＩ最適数、
ｄｎ ル−ト分割数（プログラム分散数）。
【図１】
0004088426.tif 000002
【図２】
0004088426.tif 000003
【図３】
0004088426.tif 000004
【図４】
0004088426.tif 000005
【図５】
0004088426.tif 000006
【図６】
0004088426.tif 000007
【図７】
0004088426.tif 000008
【図８】
0004088426.tif 000009
【図９】
0004088426.tif 000010
【図１０】
0004088426.tif 000011
【図１１】
0004088426.tif 000012
【図１２】
0004088426.tif 000013
【図１３】
0004088426.tif 000014
【図１４】
0004088426.tif 000015
【図１５】
0004088426.tif 000016
【図１６】
0004088426.tif 000017
【図１７】
0004088426.tif 000018
【図１８】
0004088426.tif 000019
【図１９】
0004088426.tif 000020
【図２０】
0004088426.tif 000021
【図２１】
0004088426.tif 000022
【図２２】
0004088426.tif 000023
【図２３】
0004088426.tif 000024
【図２４】
0004088426.tif 000025
【図２５】
0004088426.tif 000026
【図２６】
0004088426.tif 000027
【図２７】
0004088426.tif 000028
【図２８】
0004088426.tif 000029
【図２９】
0004088426.tif 000030